(57)【特許請求の範囲】
【請求項１】
地中に穿孔したガイド孔（２）にパイプ（１０）を挿入し、そのパイプ（１０）を回動して引き抜きながら端部に設けたジェットノズル（４）からジェット（５）を噴出し地山（１）を切削すると共に、切削により画成された空所（６）に前記ジェットノズル（４）に間隔をおいて設けた固結材ノズル（１１）から固結材（１２）を充填して固結体（１３）を築造するジェットグラウト工法において、前記ガイド孔（２）は水平方向に削孔され、前記ジェットノズル（４）からのジェット（５）により画成された空所（６）へ、自立する材料より成る固結材（１２）が前記回動する固結材ノズル（１１）から噴射され充填されて、複数の柱状固結体（１３）が築造され、前記柱状固結体（１３）の各々は相互に間隔をおいて築造されることを特徴とするジェットグラウト工法。
【請求項２】
地中に穿孔したガイド孔（２）にパイプ（１０）を挿入し、そのパイプ（１０）を回動して引き抜きながら端部に設けたジェットノズル（４）からジェット（５）を噴出し地山（１）を切削すると共に、切削により画成された空所（６）に前記ジェットノズル（４）に間隔をおいて設けた固結材ノズル（１１）から固結材（１２）を充填して固結体（１３）を築造するジェットグラウト工法において、前記ガイド孔（２）は水平方向に削孔され、前記ジェットノズル（４）からのジェット（５）により画成された空所（６）へ、自立する材料より成る固結材（１２）が前記回動する固結材ノズル（１１）から噴射され充填されて、複数の柱状固結体（１３）が築造され、前記自立する固結材（１２）による柱状固結体（１３）と通常の固結材（８）による柱状固結体（９）とが隣り合った状態で築造されることを特徴とするジェットグラウト工法。
【発明の詳細な説明】
【０００１】
【産業上の利用分野】
本発明は、地中に穿孔したガイド孔にパイプを挿入し、そのパイプを回動して引き抜きながら端部に設けたジェットノズルからジェットを噴出し地山を切削すると共に、切削により画成された空所に前記ジェットノズルに間隔をおいて設けた固結材ノズルから固結材を充填して固結体を築造するジェットグラウト工法に関する。
【０００２】
【従来の技術】
この様なジェットグラウト工法は、垂直方向に延在する固結体を築造する場合のみならず、固結体を水平方向に築造する場合でも行われる。そして、水平方向へ築造するジェットグラウト工法が図１１で示されている。
【０００３】
図１１において、地山１にガイド孔２を水平方向に削孔し、そのガイド孔２にパイプ３を挿入し、回転して引き抜きながら、パイプ３の端部に設けたジェットノズル４から水（又は水の周りを空気で囲った）ジェット５を噴出して＜地山１を切削する。そして、ジェットノズル４から必要長さＬだけ間隔をおいて設けた固結材ノズル７から、切削により画成された空所６に固結材８を充填すれば、該空所６に（水平方向へ延在する）固結体９を築造される。そして、この様な水平方向についてのジェットグラウト工法は公知である。
【０００４】
【発明が解決しようとする課題】
しかし、上記工法においては、図１２に示す様に、空所６の側面部分６ａ、６ａと周囲部分６ｂとが崩壊することがある。その結果、図１３に示すように、固結体９の上部に、崩壊土砂Ａによる未充填部分Ｂが残り、固結体６の品質が低下してしまう。
【０００５】
これに対し、両ノズル４、７間の長さＬを小さくして崩壊を防止しようとすると、固結材８がジェット５の空気に引っ張られ、スラリーとして排出されてしまうので、固結材が無駄になり、コスト高となってしまうという問題がある。
【０００６】
他方、上記長さＬを大きくすると、固結材８が充填される前に、前述した様に、前記の側面部分６ａ、６ａ及び周囲部分６ｂの崩壊が起こる。
【０００７】
本発明は、上記した従来技術に鑑みて提案されたものであり、固結体の品質を向上すると共に固結材の無駄を無くする様にしたジェットグラウト工法を提供することを目的としている。
【０００８】
【課題を解決するための手段】
本発明のジェットグラウト工法は、地中に穿孔したガイド孔（２）にパイプ（１０）を挿入し、そのパイプ（１０）を回動して引き抜きながら端部に設けたジェットノズル（４）からジェット（５）を噴出し地山（１）を切削すると共に、切削により画成された空所（６）に前記ジェットノズル（４）に間隔をおいて設けた固結材ノズル（１１）から固結材（１２）を充填して固結体（１３）を築造するジェットグラウト工法において、前記ガイド孔（２）は水平方向に削孔され、前記ジェットノズル（４）からのジェット（５）により画成された空所（６）へ、自立する材料より成る固結材（１２）が前記回動する固結材ノズル（１１）から噴射され充填されて、複数の柱状固結体（１３）が築造され、前記柱状固結体（１３）の各々は相互に間隔をおいて築造されることを特徴としている。
【０００９】
ここで本明細書において、前記ガイド孔の削孔方向を示す「水平方向」なる文言は、水平よりも若干傾斜しているもの（水平面に対する仰角が±３０゜の範囲）をも包含する意味で用いられる文言である。
【００１０】
また、自立する材料とは流動性が小さく、所謂「スランプ」の小さな材料、例えばモルタル、コンクリート、セメントスラリー（特にコンクリート）が好ましい。
【００１２】
また本発明によれば、地中に穿孔したガイド孔（２）にパイプ（１０）を挿入し、そのパイプ（１０）を回動して引き抜きながら端部に設けたジェットノズル（４）からジェット（５）を噴出し地山（１）を切削すると共に、切削により画成された空所（６）に前記ジェットノズル（４）に間隔をおいて設けた固結材ノズル（１１）から固結材（１２）を充填して固結体（１３）を築造するジェットグラウト工法において、前記ガイド孔（２）は水平方向に削孔され、前記ジェットノズル（４）からのジェット（５）により画成された空所（６）へ、自立する材料より成る固結材（１２）が前記回動する固結材ノズル（１１）から噴射され充填されて、複数の柱状固結体（１３）が築造され、前記自立する固結材（１２）による柱状固結体（１３）と通常の固結材（８）による柱状固結体（９）とが隣り合った状態で築造されることを特徴としている。
【００１３】
本発明の実施に際して、前記固結体は円筒状をした所謂「柱状固結体」に形成される。
【００１４】
【作用】
上記のように構成された本発明のジェットグラウト工法によれば、固結材は自立出来る程度に流動性が乏しいため、ジェットノズルと固結材ノズルとの間の長さを小さくしても、固結材ノズルから供給される固結材がジェットノズルから噴射される空気に引っ張られることが無くなり、スラリーとしてガイド孔から排出されることが防止される。
【００１５】
そして、ジェットノズルと固結材ノズルとの間の長さを小さくすることが出来るので、ジェットノズルから噴射されたジェットにより掘削された空所が崩壊するよりも早く、固結材を注入充填して未充填部分のない良質の固結体を築造することができる。
【００１６】
本発明において、固結体を相互に間隔をおいて築造すれば、ガイド孔の奥側から手前側に向けて固結体を築造するのみならず、ガイド孔の手前側から奥側に向けて築造したり、所定箇所から手前側に築造した後に奥側を築造したり或いはその逆であったりすることが可能である。すなわち、施工現場の状況に応じて、固結体築造の順序を自由にアレンジすることが出来るのである。
【００１７】
更に本発明において、通常の固結材による固結体と自立する固結材による固結体とが相互に隣り合った状態で築造すれば、自立する固結材による固結体を築造した後であれば、その間の未改良部分を通常の固結材で改良した際において、自立する固結体による築造箇所は崩壊しないので、上述した問題は発生しない。
【００１８】
【実施例】
以下図面を参照して本発明の実施例を説明する。なお、図示の実施例では、円筒形の柱状固結体を築造している。
【００１９】
図１及び図２には、本発明を実施する装置が示されている。図において、パイプ１０の端部には、必要最小長さＬ１をおいてジェットノズル４と図示の例では３個の固結材ノズル１１とが設けられている。その長さＬ１は、従来の長さＬ１に対し大幅に小さくとられている。
【００２０】
前記固結材ノズル１１は、パイプ１０の先端部の外周に軸直に設けられ、図示しないコンクリートポンプからの自立する材料、例えばモルタル、コンクリート又はセメントスラリ等のスランプの小さい材料の固結材１２、を噴出するようになっている。この固結材ノズル１１は、図３に示すようにパイプ１０ａの先端部に相互に直交するように配置し、又は図４に示すように、パイプ１０ｂの先端部に軸線と平行に複数設けることができる。
【００２１】
次に、施工の態様を説明する。
（１）  ガイド孔削孔工程（図５）
図示しないボーリングマシンで、水平方向に（上述した通り、水平面に対する仰角が±３０゜の範囲を含む意味で用いられている）ガイド孔２を穿孔する。
【００２２】
（２）  パイプ挿入及びジェットによる切削工程（図６）
ガイド孔２にパイプ１０を挿入したのち、パイプ１０を回転して引き抜きながら、ジェットノズル４からジェット５を噴出して地山１を切削する。
【００２３】
（３）  切削及び固結材充填工程（図７）
上記（２）の工程においてジェット４により地山を堀削すると同時に、切削により画成された空所６に固結材ノズル１１から固結材１２を充填する。ここで、固結材１２はコンクリートの様な自立する材料であるため、ジェット４或いはそれを包囲する空気に引っ張られてしまうことが無い。
【００２４】
（４）  柱状固結構造工程（図８）
空所６に固結材１２を充填し、固結体１３の築造を終了する。
【００２５】
したがって、空所６の壁面が崩壊する以前に固結材１２を充填し、未充填部分Ｂ（図１３）を無くして固結体１３の品質を向上することができる。また、上記工程（３）で説明した様に、固結材１２の排出量が極めて少なくなるため、固結材１２の浪費を防止することができる。
【００２６】
図９は本発明の実施例を示し、地山１に、固結体１３を相互に間隔をおいて築造し、地山１の性状に応じ、固結体１３の個数を減らして施工費を低減した例である。なお、この実施例では、図中左方又は右方から任意に施工することができる。
【００２７】
図１０は本発明の別の実施例を示し、自立する固結材１２による固結体１３と、通常の固結材８により固結体９とを相互に接続して築造した例である。この実施例でも、地山１の性状に応じ、施工費を低減することができる。なお、この例でも、図中左方又は右方から任意に施工することができる。
【００２８】
【発明の効果】
本発明は、以上説明したように構成されているので、水平方向（水平面に対する仰角が±３０゜の範囲を含む）のジェットグラウト工法の施工に際して、地山の崩壊を無くして、固結体の品質を向上することができる。また、固結材の排出をなくして無駄を省くことができる。
【図面の簡単な説明】
【図１】本発明を実施する装置の一例を示す地山の縦断面図。
【図２】図１の固結材ノズルを示す図面。
【図３】固結材ノズルの例の実施例を示す側面図。
【図４】固結材ノズルの例の実施例を示す側面図。
【図５】ガイド孔削孔工程を説明する地山の縦断面図。
【図６】パイプ挿入及びジェットによる切削工程を説明する地山の縦断面図。
【図７】切削及び固結材充填工程を説明する地山の縦断面図。
【図８】固結体築造工程を説明する地山の縦断面図。
【図９】本発明の別の実施例を示す地山の縦断面図。
【図１０】本発明の別の実施例を示す地山の縦断面図。
【図１１】従来の施工態様を説明する地山の縦断面図。
【図１２】図１１の空所の崩壊を説明する地山の縦断面図。
【図１３】図１１による固結体の不具合を説明する地山の縦断面図。
【符号の説明】
Ａ・・・崩壊土砂
Ｂ・・・未充填部分
１・・・地山
２・・・ガイド孔
３、１０、１０ａ、１０ｂ・・・パイプ
４・・・ジェットノズル
５・・・ジェット
６・・・空所
７、１１・・・固結材ノズル
８、１２・・・固結材
９、１３・・・固結体
【図１】
0003672264.tif 000002
【図２】
0003672264.tif 000003
【図３】
0003672264.tif 000004
【図４】
0003672264.tif 000005
【図５】
0003672264.tif 000006
【図６】
0003672264.tif 000007
【図７】
0003672264.tif 000008
【図８】
0003672264.tif 000009
【図９】
0003672264.tif 000010
【図１０】
0003672264.tif 000011
【図１１】
0003672264.tif 000012
【図１２】
0003672264.tif 000013
【図１３】
0003672264.tif 000014